(57)【要約】【課題】糊貼り等の複雑な工程を経ずに、容易、かつ、安価に製造が可能で、横に傾けても商品が飛び出さない包装帯を提供すること。【解決手段】被包装物当接板（１０）の両端に区画形成された折り返し部（１５）を縦方向の折り曲げ線（ａ）に沿って内側に折り曲げ、該折り返し部とともに、裏面板（１１）、第１側面板（１２）、表面板（１３）、第２側面板（１４）を折り返し部（１５）が内側にくるように横方向の折り曲げ線（ｂ）に沿って折り曲げ断面形状が長方形の筒状に形成し、裏面板（２０）を横方向の折り曲げ線（ｃ）に沿って折り曲げて裏面板の表面側に重ねて蓋面板と裏面板を封止した。【選択図】図１
2005104517.tif 000002
【特許請求の範囲】
【請求項１】
両端に縦方向の折り曲げ線を介して折り返し部が区画形成され、また、横方向の折り曲げ線を介して裏面板、第１側面板、表面板、第２側面板がそれぞれ順次区画形成された方形の被包装物当接板と、
前記当接板の両端の折り返し部を除く第２側面板の端縁に横方向の折り曲げ線を介して連設された蓋面板とからなる包装帯であって、
被包装物当接板の両端に区画形成された折り返し部を縦方向の折り曲げ線に沿って内側に折り曲げ、
折り曲げた折り返し部共々、裏面板、第１側面板、表面板、第２側面板を折り返し部が内側にくるように、横方向の折り曲げ線に沿って折り曲げて断面形状が長方形の筒状に形成し、
蓋面板を横方向の折り曲げ線に沿って折り曲げて裏面板の表面側に重ねて蓋面板と裏面板とを封止したことを特徴とする、包装帯。
【請求項２】
前記折り返し部の端縁全体が波形状に加工されていることを特徴とする、請求項１記載の包装帯。
【請求項３】
前記折り返し部の端縁が部分的に突出部を形成されていることを特徴とする、請求項１記載の包装帯。
【請求項４】
前記被包装物当接板の第１側面板と第２側面板には、該側面板を２分する横方向の第２折り曲げ線が形成されていることを特徴とする、請求項１、２又は３記載の包装帯。
【請求項５】
前記蓋面板と裏面板との封止手段が、蓋面板の端縁中央につまみ片を突出して形成させ、該つまみ片の、蓋面板の端縁と略同一線上には、蓋面板寄りに突出する切り込み線により略半円形状の係止片が区画形成され、
裏面板の、蓋面板を裏面板に被せた際、つまみ片が重なる位置近傍に、係止片を係止する係止孔が穿設され、係止片を係止孔に差し込み係止する方法であることを特徴とする、請求項１、２、３又は４記載の包装帯。
【発明の詳細な説明】
【技術分野】
【０００１】
本発明は、板チョコなど板状の商品を外装する包装帯に関するものであり、特には、容易に、かつ、安価に製造可能な包装帯に関する。
【背景技術】
【０００２】
従来、消費者の購買意欲を誘う手段として、母の日、クリスマス、バレンタインデー等の特別の催しに因んで販売促進を図る方法がある。
【０００３】
この場合、催しごとに特別にデザインされたラベル、紙箱、プラスチック容器等の包装材料で包装した商品を作製しても良いが、その期間を過ぎると、そのデザインでは通用しなくなってしまう。例えば、クリスマス用のデザインでは正月用の商品としては通用しない。そのため、催しごとに包装紙を代えてラッピングするなどの対応をとっていた。しかし、１つずつ包装するため、手間ひまのかかる方法であった。
【０００４】
そこで、発明者らは特に板状の商品について、包装紙に代わるものとして板状の商品に被せる包装帯を検討した。
【０００５】
しかし従来の包装帯は、一方の端縁ともう一方の端縁とを重ねて糊等で貼着する方法をとっているため工程が複雑で作業が面倒であったり、商品保持部分が少ないため、横に傾けた際に商品が飛び出す恐れがある等の問題があるものであった（例えば、特許文献１、２）。
【０００６】
上記先行技術文献を示す。  
【特許文献１】実公昭４０−６５５５号公報
【特許文献２】実開昭４８−７２２２１公報
【発明の開示】
【発明が解決しようとする課題】
【０００７】
本発明は、包装帯に関する以上のような問題に鑑みてなされたもので、糊貼り等の複雑な工程を経ずに、容易、かつ、安価に製造が可能で横に傾けても商品が飛び出さない包装帯を提供することを課題とする。
【課題を解決するための手段】
【０００８】
本発明の請求項１の発明は、両端に縦方向の折り曲げ線を介して折り返し部が区画形成され、また、横方向の折り曲げ線を介して裏面板、第１側面板、表面板、第２側面板がそれぞれ順次区画形成された方形の被包装物当接板と、前記被包装物当接板の両端の折り返し部を除く第２側面板の端縁に横方向の折り曲げ線を介して連設された蓋面板とからなる包装帯であって、被包装物当接板の両端に区画形成された折り返し部を縦方向の折り曲げ線に沿って内側に折り曲げ、折り曲げた折り返し部共々、裏面板、第１側面板、表面板、第２側面板を折り返し部が内側にくるように、横方向の折り曲げ線に沿って折り曲げて断面形状が長方形の筒状に形成し、蓋面板を横方向の折り曲げ線に沿って折り曲げ裏面板の表面側に重ね、蓋面板と裏面板とを封止したことを特徴とする包装帯である。
【０００９】
このように請求項１記載の発明によれば、被包装物当接板の両端に区画形成された折り返し部を縦方向の折り曲げ線に沿って内側に折り曲げ、折り曲げた折り返し部共々、裏面板、第１側面板、表面板、第２側面板を折り返し部が内側にくるように、横方向の折り曲げ線に沿って折り曲げて断面形状が長方形の筒状に形成し、蓋面板を横方向の折り曲げ線
に沿って折り曲げ裏面板の表面側に重ね、蓋面板と裏面板とを封止したので、被包装物は断面形状が長方形の当接板に包まれ、両端は折り曲げた折り返し部が障壁となって被包装物が包装帯から落ちることはない。
【００１０】
また、請求項２の発明は、請求項１の発明において、前記折り返し部の端縁全体が波形状に加工されていることを特徴とする、包装帯である。
【００１１】
このように請求項２の発明によれば、折り返し部の端縁全体が波形状に加工されているので、包装帯の両端が綺麗に見えて見栄えが良い。
【００１２】
なお、折り返し部の端縁全体は波形状以外に任意の形状に加工することも可能である。
【００１３】
また、請求項３の発明は、請求項１の発明において、前記折り返し部の端縁は部分的に突出部が形成されていることを特徴とする、包装帯である。
【００１４】
このように請求項３記載の発明によれば、折り返し部の端縁は部分的に突出部が形成されているので、包装帯の両端が綺麗に見えて見栄えが良い。
【００１５】
また、請求項４の発明は、請求項１、２又は３の発明において、前記被包装物当接板の第１側面板と第２側面板には、該側面板を２分する横方向の第２折り曲げ線が形成されていることを特徴とする、包装帯である。
【００１６】
このように請求項４記載の発明によれば、被包装物当接板の第１側面板と第２側面板には、該側面板を２分する横方向の第２折り曲げ線が形成されているので、包装帯を立てた際、天部と底部になる部分をそれぞれ凸状（屋根型）にすることができ、包装帯の形状に変化を持たせることができる。
【００１７】
また、請求項５の発明は、請求項１、２、３又は４の発明において、前記蓋面板と裏面板との封止手段が、蓋面板の端縁中央につまみ片を突出して形成させ、該つまみ片の蓋面板の端縁と略同一線上には、蓋面板寄りに突出する切り込み線により略半円形状の係止片が区画形成され、裏面板の、蓋面板に被せた際、つまみ片が重なる位置近傍に、係止片を係止する係止孔が穿設され、係止片を係止孔に差し込み係止する方法であることを特徴とする、包装帯である。
【００１８】
このように請求項５記載の発明によれば、蓋面板の端縁中央につまみ片を突出して形成させ、該つまみ片の蓋面板の端縁と略同一線上には、蓋面板寄りに突出する切り込み線により略半円形状の係止片が区画形成され、裏面板の、蓋面板に被せた際、つまみ片が重なる位置近傍に、係止片を係止する係止孔が穿設され、係止片を係止孔に差し込み係止するので、蓋面板と裏面板とは容易に封止することができる。また、つまみ片を持って立てるようにすることにより容易に包装帯を開封することもできる。
【発明の効果】
【００１９】
このように本発明の包装帯は、つぎのような効果がある。
【００２０】
すなわち、打ち抜き、罫線付け加工のみでできるため、容易、かつ、安価に製造できる。
【００２１】
包装をすると、チョコレート等の板状の商品は内側に折り曲げた折り返し部の内側に位置するので、商品の落下を防止できる。
【００２２】
折り曲げるだけで包装できるので、パッケージングが容易にできる。
【００２３】
板状のチュコレート等、既存の商品を被覆することでイベント用商品に仕立てる包装帯なので、イベント時の既存商品のイメージを向上させる等の価値を付加することができる。
【００２４】
また、イベント終了後は被覆を解くことで商品を既存商品として販売でき、イベント主催者側は商品の過不足を気にする必要がなくなる。
【発明を実施するための最良の形態】
【００２５】
本発明の包装帯を一実施形態に基づいて以下に詳細に説明する。
【００２６】
本発明の包装帯は、例えば、図１、図２に示すように、両端に縦方向の折り曲げ線（ａ、ａ）を介して折り返し部（１５）が区画形成され、また、横方向の折り曲げ線（ｂ、ｂ、ｂ）を介して裏面板（１１）、第１側面板（１２）、表面板（１３）、第２側面板（１４）がそれぞれ順次区画形成された方形の被包装物当接板（１０）と、前記被包装物当接板の両端の折り返し部を除く第２側面板の端縁に横方向の折り曲げ線（ｃ）を介して連設された蓋面板（２０）とからなるブランク（１）を組み立てた包装帯（１００）である。
【００２７】
包装帯（１００）の組み立て方の一例はつぎの通りである。
【００２８】
すなわち、先ず、被包装物当接板（１０）の両端に区画形成された折り返し部（１５、１５）を縦方向の折り曲げ線（ａ、ａ）に沿って内側に折り曲げる（図２（ａ）参照）。
【００２９】
被包装物（３０）である板状の商品を被包装物当接板（１０）の表面板（１３）の上に両端の折り返し部（１５、１５）にかからないように載せる（図２（ｂ）参照）。
【００３０】
ついで、折り曲げた折り返し部（１５、１５）と一緒に、裏面板（１１）、第１側面板（１２）、表面板（１３）、第２側面板（１４）を折り返し部が内側にくるように、横方向の折り曲げ線（ｂ、ｂ、ｂ）に沿って折り曲げて断面形状が長方形の筒状に形成する（図２（ｃ）、図２（ｄ）参照）。
【００３１】
最後に蓋面板（２０）を横方向の折り曲げ線（ｃ）に沿って折り曲げ裏面板（１１）の表面側に重ね、蓋面板（２０）と裏面板（１１）とを封止する。
【００３２】
封止手段の一例を図１、図２に基づいて簡単に説明する。
【００３３】
蓋面板（２０）の端縁中央につまみ片（２１）を突出して形成させ、該つまみ片の蓋面板の端縁と略同一線上には、蓋面板寄りに突出する切り込み線（ｄ）により略半円形状の係止片（２２）が区画形成されている。
【００３４】
そして、裏面板（１１）の、蓋面板に被せた際、つまみ片（２１）が重なる位置近傍には、係止片（２２）を係止する係止孔（１６）が穿設されている。
【００３５】
このような封止手段を有しているので、板状の被包装物を包装帯のブランクに載せて包装帯を組み立てる際、蓋面板（２０）に設けたつまみ片（２１）を立てるようにしてつまみ片の内部に区画形成された係止片（２２）を立て、裏面板（１１）の中央近傍に設けた係止孔（１６）に差し込み係止する。
【００３６】
つまみ片（２１）の先端縁と裏面板（１１）の境界部分に粘着シール等を貼ることにより封止はより強固になる。
【００３７】
包装する被包装物（３０）は一枚とは限らず、複数枚としても良い。また、裏面板、表面板に窓を設け被包装物が見えるようにしても良く、包装帯と被包装物の間に景品等を挟んでも良い。
【００３８】
包装帯の両端は、開放されているが、周縁に設けられた折り返し部（１５、１５）の先端縁が被包装物（３０）に接触しているため、包装帯（１００）を横にしても被包装物が包装帯から飛び出すことはない（図３参照）。
【００３９】
特に、景品を挟んでいる時は、折り返し部（１５、１５）の少なくとも一部を被包装物（３０）と裏面板（１１）または表面板（１３）の間に挟むことにより、景品の落下を防
止することができる。
【００４０】
また、つまみ片を持って係止片を係止孔（１６）から取り出し、係止を解けば被包装物（３０）は包装帯（１００）から容易に取り出すことができる。
【００４１】
包装帯（１００）を構成する被包装物当接板（１０）と蓋面板（２０）とは一枚の板紙からなり、板紙の種類は、コートボール、マニラボール、アイボリー等一般的に公知の紙器用板紙が使用できる。
【００４２】
必要に応じて表面または裏面に印刷することも可能である。
【００４３】
図４は本発明の包装帯の別の実施形態を示す、（ａ）はブランクの平面説明図であり、（ｂ）は（ａ）を包装帯に組み立てた斜視説明図である。
【００４４】
折り返し部（１５）の端縁全体を波形状（１７）に加工した例であり、折り返し部（１５）の端面が綺麗に見えて、見栄えが良いという利点がある。
【００４５】
図５は本発明の包装帯のさらに別の実施形態を示す、（ａ）はブランクの平面説明図であり、（ｂ）は（ａ）を包装帯に組み立てた斜視説明図である。
【００４６】
折り返し部（１５）の端縁の一部に突出部（１８）を設けた例であり、包装帯を横から眺めた場合、例えばハート型を形成できるという利点がある。
【００４７】
図６は本発明の包装帯のさらに別の実施形態を示す、（ａ）はブランクの平面説明図であり、（ｂ）は（ａ）を包装帯に組み立てた斜視説明図である。
【００４８】
被包装物当接板（１０）の第１側面板（１２）と第２側面板（１４）に、該側面板を２分する横方向の折り曲げ線（ｅ、ｅ）を設けた例であり、包装帯を立てた際、天部と底部になる部分をそれぞれ凸状（屋根型）にすることができ、包装帯の形状に変化を持たせることができる。
【図面の簡単な説明】
【００４９】
【図１】本発明の包装帯のブランクの一実施例を示す、平面説明図である。
【図２】（ａ）〜（ｅ）は本発明の包装帯の包装手順の一例を示す、説明図である。
【図３】図２（ｄ）のＡ−Ａ’線断面説明図である。
【図４】本発明の包装帯の別の実施例を示す、（ａ）はブランクの展開説明図であり、（ｂ）は（ａ）のブランクを組み立てた斜視説明図である。
【図５】本発明の包装帯のさらに別の実施例を示す、（ａ）はブランクの展開説明図であり、（ｂ）は（ａ）のブランクを組み立てた斜視説明図である。
【図６】本発明の包装帯のさらに別の実施例を示す、（ａ）はブランクの展開説明図であり、（ｂ）は（ａ）のブランクを組み立てた斜視説明図である。
【符号の説明】
【００５０】
１‥‥ブランク
１０‥‥被包装物当接板
１１‥‥裏面板
１２‥‥第１側面板
１３‥‥表面板
１４‥‥第２側面板
１５‥‥折り返し部
１６‥‥係止孔
１７‥‥波形状
１８‥‥突出部
２０‥‥蓋面板
２１‥‥つまみ片
２２‥‥係止片
３０‥‥被包装物、板チョコ
１００‥‥包装帯
ａ‥‥縦方向の折り曲げ線
ｂ‥‥横方向の折り曲げ線
ｃ‥‥横方向の折り曲げ線
ｄ‥‥切り込み線
ｅ‥‥横方向の折り曲げ線
【図１】
2005104517.tif 000003
【図２】
2005104517.tif 000004
【図３】
2005104517.tif 000005
【図４】
2005104517.tif 000006
【図５】
2005104517.tif 000007
【図６】
2005104517.tif 000008